(57)【要約】【課題】個別の収納ケースごとに空気の吹き出し量を容易に設定できるエアパージ装置を備えた監視カメラの収納ケースを提供する。【解決手段】エアパージ装置１０は、内周に２枚の防護ガラス８１を備えた円筒状の円筒部１１の内周と外周との間の内部に空間１２を設け、同空間１２へ連なる空気の導入口１３を円筒部１１の外周面に設け、円筒部１１の内周面に、防護ガラス８１の前面へ導入口１３から流入した空気を吹き出す吹出口１１ａを備え、円筒部１１内面にマウント部３へ嵌着するネジ溝１１ｂを備えた構造である。円筒部１１は外円筒部１１ｄと内円筒部１１ｅとに分割される構造となっており、外円筒部１１ｄ内周面にネジ溝１１ｆを設け、また、内円筒部１１ｅ外周面にネジ溝１１ｆと対応するネジ山１１ｇを設け、外円筒部１１ｄを回転させることにより、吹出口１１ａの開口面積を調節する構造とする。【選択図】  図１
2004333534.tif 000002
【特許請求の範囲】
【請求項１】
監視カメラ本体を収納するケース部と、同ケース部前面の前記監視カメラのレンズと対応する位置に備えられ、外周にネジ山を設けた円筒状のマウント部と、内周に防護ガラスを備えた円筒状の円筒部の内周と外周との間の内部に空間を設け、同空間へ連なる空気の導入口を前記円筒部の外周面に設け、前記円筒部の内周面に、前記防護ガラスの前面へ前記導入口から流入した空気を吹き出す吹出口を備え、前記円筒部内面後方に前記マウント部へ嵌着するネジ溝を備えたエアパージ装置とで構成され、
同エアパージ装置に前記吹出口から吹き出される空気量を調節する調節機構を備えてなることを特徴とする監視カメラの収納ケース。
【請求項２】
前記円筒部を外円筒部と内円筒部とで構成し、前記外円筒部内周面にネジ溝を設け、前記内円筒部外周面に前記外円筒部内周面のネジ溝と対応するネジ山を設け、前記外円筒部を回転させて前記吹出口の開口面積を調節してなることを特徴とする請求項１記載の監視カメラの収納ケース。
【請求項３】
前記防護ガラスの前側の前記円筒部の内周面にネジ溝を設け、同ネジ溝と対応するネジ山を外周面に備えたリング状の調節リングを設け、同調節リングを回転させて前記吹出口の開口面積を調節してなることを特徴とする請求項１記載の監視カメラの収納ケース。
【発明の詳細な説明】
【０００１】
【発明の属する技術分野】
本発明は、監視カメラの収納ケースに係わり、より詳細には、収納ケース前面に備えられたエアパージ装置の構造に関する。
【０００２】
【従来の技術】
従来、溶鉱炉などの監視に用いられる監視カメラの収納ケースは、図３（Ａ）の前面図、図３（Ｂ）の側面図、図４（Ａ）の要部断面図に示す構造であった。この収納ケースのケース部１は外観が円柱形に形成され、また内部が二重構造になっており、外部と内部との間の空間には、供給／排出口２を介して冷却水が循環し、監視カメラ５全体を冷却する構造となっている。そして、前面には監視カメラ５のレンズユニット５ａと対応する位置に備えられ、外周にネジ山３ａを設けた円筒状のマウント部３が固定されている。また、このマウント部３の両脇には、前面にネジ孔４ａを備えた突部４が備えられている。
【０００３】
そしてマウント部３には、図４（Ａ）に示すように、円筒形のガラス窓固定カバー８０が装着されている。このガラス窓固定カバー８０は、前方の円周端に内周側に向かってフランジ部８０ａが備えられており、このフランジ部８０ａの内面とマウント部３の前方端面３ｂとで２枚の防護ガラス８１を挟持している。
【０００４】
このガラス窓固定カバー８０を覆うように図４（Ｂ）の斜視図で示すエアパージ装置８２が配置され、背面から左右に突出した取付片８２ａの挿通孔８２ｂにネジ８３が挿通され、図３（Ａ）のネジ孔４ａに螺着することにより、エアパージ装置８２が収納ケース１へ固定されている。
このエアパージ装置８２は、図４（Ａ）に示すように内部にリング状の空間８４と、前方にリング状の吹出口８２ｃをそれぞれ備え、この吹出口８２ｃから内部の空間８４に連なる吹出通路８２ｄが設けられている。また、エアパージ装置８２の下部には、内部の空間８４へ連なる空気の導入口８２ｅが設けられており、ここからエアーコンプレッサなどで圧縮した空気を配管ケーブル（図示せず）を介して送り込み、吹出通路８２ｄを介して吹出口８２ｃから空気を吹き出すことにより、防護ガラス８１への粉塵の付着を防止するようになっている（例えば、特許文献１参照。）。
【０００５】
しかしながら、従来の構造では吹出口から吹き出す空気圧が、個々の収納ケースで調節できないため、設置場所によっては空気の吹き出し量が多すぎて、かえって周囲の粉塵を巻き上げて監視映像に支障をきたす場合が有り、個別の収納ケースごとに吹き出し量を容易に設定できるエアパージ装置を備えた監視カメラの収納ケースが望まれていた。
【０００６】
【特許文献１】
実開昭６３−１５７６５０号公報  （第８頁、第２図）
【０００７】
【発明が解決しようとする課題】
本発明は以上述べた問題点を解決し、個別の収納ケースごとに空気の吹き出し量を容易に設定できるエアパージ装置を備えた監視カメラの収納ケースを提供することを目的としている。
【０００８】
【課題を解決するための手段】
本発明は、上記問題点を解決するため、監視カメラ本体を収納するケース部と、同ケース部前面の前記監視カメラのレンズと対応する位置に備えられ、外周にネジ山を設けた円筒状のマウント部と、内周に防護ガラスを備えた円筒状の円筒部の内周と外周との間の内部に空間を設け、同空間へ連なる空気の導入口を前記円筒部の外周面に設け、前記円筒部の内周面に、前記防護ガラスの前面へ前記導入口から流入した空気を吹き出す吹出口を備え、前記円筒部内面後方に前記マウント部へ嵌着するネジ溝を備えたエアパージ装置とで構成され、
同エアパージ装置に前記吹出口から吹き出される空気量を調節する調節機構を備えてなる構造とする。
【０００９】
また、前記円筒部を外円筒部と内円筒部とで構成し、前記外円筒部内周面にネジ溝を設け、前記内円筒部外周面に前記外円筒部内周面のネジ溝と対応するネジ山を設け、前記外円筒部を回転させて前記吹出口の開口面積を調節してなる構造とする。
【００１０】
または、前記防護ガラスの前側の前記円筒部の内周面にネジ溝を設け、同ネジ溝と対応するネジ山を外周面に備えたリング状の調節リングを設け、同調節リングを回転させて前記吹出口の開口面積を調節してなる構造とする。
【００１１】
【発明の実施の形態】
以下、図面に基づいて本発明による監視カメラの収納ケースを詳細に説明する。なお従来例と同じ部品については同一の符号を付与し、詳細な説明を省略する。
図１は本発明による監視カメラの収納ケースの第一実施例を示す要部断面図である。エアパージ装置１０は、内周に２枚の防護ガラス８１を備えた円筒状の円筒部１１の内周と外周との間の内部に空間１２を設け、同空間１２へ連なる空気の導入口１３を円筒部１１の外周面に設け、円筒部１１の内周面に、防護ガラス８１の前面へ導入口１３から流入した空気を吹き出す吹出口１１ａを備え、円筒部１１内面にマウント部３へ嵌着するネジ溝１１ｂを備えた構造となっている。
そして、内周面にマウント部３と対応するネジ溝１４ａを備えたリング形状のエアパージ固定ナット１４をマウント部３の所定位置にねじ込み、次に円筒部１１をエアパージ固定ナット１４と突き当たるまでマウント部３へねじ込んで固定する。
【００１２】
一方、防護ガラス８１は、円筒部１１の内周面前方に内周方向に向かって設けたフランジ部１１ｃ内面とガラス窓固定ナット１５とで挟持されている。このガラス窓固定ナット１５はリング形状であり、外周には円筒部１１の内周面に備えられたネジ溝１１ｂと対応するネジ山１５ａが設けられており、円筒部１１後方から回転させながら挿入して螺着する構造となっている。
【００１３】
また、円筒部１１は外円筒部１１ｄと内円筒部１１ｅとに分割される構造となっており、外円筒部１１ｄ内周面にネジ溝１１ｆを設け、また、内円筒部１１ｅ外周面に外円筒部１１ｄ内周面のネジ溝１１ｆと対応するネジ山１１ｇを設け、外円筒部１１ｄを回転させることにより、吹出口１１ａの開口面積を調節する構造となっている。
この構造により、外円筒部１１ｄを回転させて、監視カメラの収納ケースの設置場所に最適な空気の吹き出し量を容易に設定できる。
また、エアパージ固定ナット１４を用いているため、エアパージ装置１０を任意の角度で固定し、導入口１３を空気の配管ケーブル（図示せず）と対応する角度にすることができ、配管ケーブルの敷設が容易となる。
さらに、エアパージ固定ナット１４とガラス窓固定ナット１５とを用いないで、内円筒部１１ｅのフランジ部１１ｃとマウント部３の前方端面３ｂとで２枚の防護ガラス８１を挟持してもよい。これにより、従来例のガラス窓固定カバーを用いなくても防護ガラス８１を固定できるため、コストダウンを図ることができる。
【００１４】
図２は本発明による監視カメラの収納ケースの第二実施例を示す要部断面図である。第一実施例との違いは、エアパージ装置の外円筒部を回転させて吹出口の開口面積を調節する構造でなく、エアパージ装置２０の円筒部２１の内周前方に調節リング２２を設け、これを回転させることにより、吹出口２１ａの開口面積を調節する構造としていることである。
【００１５】
この調節リング２２はリング形状であり、外周には円筒部２１の内周前方に備えられたネジ溝２１ｂと対応するネジ山２２ａが設けられており、円筒部２１前方から回転させながら挿入して吹出口２１ａの開口面積を調節する構造となっている。なお、その他の構造は第一実施例と同じため説明を省略する。
これにより、簡単な構造で監視カメラの収納ケースの設置場所に最適な空気の吹き出し量を容易に設定できる。
【００１６】
【発明の効果】
以上説明したように、本発明による監視カメラの収納ケースによれば、請求項１に係わる発明は、監視カメラ本体を収納するケース部と、同ケース部前面の監視カメラのレンズと対応する位置に備えられ、外周にネジ山を設けた円筒状のマウント部と、内周に防護ガラスを備えた円筒状の円筒部の内周と外周との間の内部に空間を設け、同空間へ連なる空気の導入口を円筒部の外周面に設け、円筒部の内周面に、防護ガラスの前面へ導入口から流入した空気を吹き出す吹出口を備え、円筒部内面後方にマウント部へ嵌着するネジ溝を備えたエアパージ装置とで構成され、
同エアパージ装置に吹出口から吹き出される空気量を調節する調節機構を備えることにより、個々の監視カメラの収納ケースの設置場所に最適な空気の吹き出し量を容易に設定できる。
【００１７】
また、請求項２に係わる発明は、円筒部を外円筒部と内円筒部とで構成し、外円筒部内周面にネジ溝を設け、内円筒部外周面に外円筒部内周面のネジ溝と対応するネジ山を設け、外円筒部を回転させて吹出口の開口面積を調節することにより、外円筒部を回転させる簡単な操作で空気の吹き出し量を容易に設定できる。
【００１８】
また、請求項３に係わる発明は、防護ガラスの前側の円筒部の内周面にネジ溝を設け、同ネジ溝と対応するネジ山を外周面に備えたリング状の調節リングを設け、同調節リングを回転させて吹出口の開口面積を調節することにより、簡単な構造で空気の吹き出し量を容易に設定できる。
【００１９】
【図面の簡単な説明】
【図１】本発明による監視カメラの収納ケースの第一実施例を示す、要部断面図である。
【図２】本発明による監視カメラの収納ケースの第二実施例を示す、要部断面図である。
【図３】従来の監視カメラの収納ケースを示す外観図であり、（Ａ）は正面図、（Ｂ）は側面図である。
【図４】従来の監視カメラの収納ケースを示す（Ａ）は要部断面図、（Ｂ）は斜視図である。
【符号の説明】
３  マウント部
１０  エアパージ装置
１１  円筒部
１１ａ  吹出口
１１ｂ  ネジ溝
１１ｃ  フランジ部
１１ｄ  外円筒部
１１ｅ  内円筒部
１１ｆ  ネジ溝
１１ｇ  ネジ山
１２  空間
１３  導入口
１４  エアパージ固定ナット
１４ａ  ネジ溝
１５  ガラス窓固定ナット
１５ａ  ネジ山
２０  エアパージ装置
２１  円筒部
２１ａ  吹出口
２１ｂ  ネジ溝
２２  調節リング
２２ａ  ネジ山
８１  防護ガラス
【図１】
2004333534.tif 000003
【図２】
2004333534.tif 000004
【図３】
2004333534.tif 000005
【図４】
2004333534.tif 000006